(57)【特許請求の範囲】
【請求項１】
１つ以上の空欄の取り外し可能なリストバンドを有するフォームであって、前記フォームは、
耐水性の印刷可能なナイロン・タフタの表面層および裏打ち層であって、前記表面層は、第１および第２の端部ならびに各リストバンドの前記第１および第２の端部間のリストバンド本体を有する１つ以上の空欄の取り外し可能なリストバンドを形成するダイカットであり、前記ナイロン・タフタは、４〜６ミル（約０．１〜０．１５ｍｍ）厚であり、上面および底面上にコーティングを有し、前記上面上のコーティングは、各リストバンドの前記第１および第２の端部間のリストバンド本体上に印刷された可変の患者データを受け入れることができ、前記リストバンドは、耐水性があり、手に柔らかくて、印刷された可変の患者データを失うことなく、数日間患者に取り付けられたままであってよく、前記表面層は、その底面の少なくとも一部上に含まれる感圧接着剤によって前記裏打ち層に接着され、前記感圧接着剤は、前記１つ以上のリストバンドの周辺まわりの前記表面層上に含まれ、前記第１および第２の端部間の前記リストバンド本体は、前記裏打ち層に対して接着されない、表面層および裏打ち層と、
前記リストバンドを患者の手首に固定する手段であって、前記リストバンドの前記第１および第２の端部に隣接して配置され、前記リストバンドは、長尺状のリストバンド本体の両端において前記リストバンド本体の長手方向軸線の延長位置に前記第１および第２の端部が形成され、前記第１および第２の端部は、底面にのみ前記感圧接着剤を有し、
前記リストバンドは、前記リストバンドが患者の手首のまわりをくるんだ状態において、前記第１の端部の底面の感圧接着剤が反対側の前記リストバンド本体の底面に付着するように折り畳まれると共に、前記第２の端部は、前記くるんだリストバンドの円周方向に関して前記第１の端部と同一方向に向いた姿勢で前記リストバンドの上面に付着される、手段と、を備え、
前記リストバンドの各々の前記第１および第２の端部の各々は、前記リストバンドの残りの部分とは異なる色が印刷された前記リストバンドの各々の前記第１および第２の端部の各々の前記底面を有する前記リストバンドの各々の前記第１および第２の端部上に×のダイカットを含む不正が明白なしるしを有する、フォーム。
【請求項２】
一連の取り外し可能なラベルおよび１つ以上の空欄の取り外し可能なリストバンドを有するフォームであって、前記フォームは、
印刷可能な表面層および裏打ち層を備え、
前記印刷可能な表面層は、第１および第２の隣接する部分を有し、前記表面層の前記第１の部分は、４〜６ミル（約０．１〜０．１５ｍｍ）厚のナイロン・タフタ材であり、上面および底面上にコーティングを有し、前記上面上のコーティングは、印刷された可変の患者データを受け入れることができ、前記表面層の前記第１の部分は、耐水性があり、手に柔らかくて、印刷された可変の患者データを失うことなく、数日間患者に取り付けられたままであってよく、そして、第１および第２の端部ならびに各リストバンドの前記第１および第２の端部間のリストバンド本体を有する１つ以上の空欄の取り外し可能なリストバンドを形成するダイカットであり、前記表面層の前記第２の部分は、前記一連の取り外し可能なラベルを形成するダイカットであり、
前記裏打ち層は、上面の少なくとも一部上に剥離コーティングを有し、前記表面層は、その底面の少なくとも一部上に含まれる感圧接着剤によって前記裏打ち層に接着され、前記感圧接着剤は、前記１つ以上のリストバンドの周辺まわりの前記表面層上および前記リストバンドの各々の前記第１および第２の端部上に含まれ、前記第１および第２の端部間の前記リストバンド本体は、前記裏打ち層に対して接着されず、前記リストバンドの各々の前記第１および第２の端部の各々は、不正が明白なしるしを備え、前記不正が明白なしるしは、前記リストバンドの残りの部分とは異なる色が印刷された前記リストバンドの各々の前記第１および第２の端部の各々の前記底面を有する前記リストバンドの各々の前記第１および第２の端部上に×のダイカットを含み、
前記リストバンドは、長尺状のリストバンド本体の両端において前記リストバンド本体の長手方向軸線の延長位置に前記第１および第２の端部が形成され、前記第１および第２の端部は、底面にのみ前記感圧接着剤を有し、前記リストバンドは、前記リストバンドが患者の手首のまわりをくるんだ状態において、前記第１の端部の底面の感圧接着剤が反対側の前記リストバンド本体の底面に付着するように折り畳まれると共に、前記第２の端部は、前記くるんだリストバンドの円周方向に関して前記第１の端部と同一方向に向いた姿勢で前記リストバンドの上面に付着される、フォーム。
【請求項３】
前記表面層の前記第１および第２の部分は、分離されて、異なる材料から構成されてよい、請求項２に記載のフォーム。
【請求項４】
前記表面層の前記第１の部分は、２つの側部上を白色でコーティングしたナイロン・タフタであり、前記表面層の前記第２の部分は、紙である、請求項３に記載のフォーム。
【請求項５】
前記表面層は、手に十分柔らかいナイロン・タフタであり、４〜６ミル（約０．１〜０．１５ｍｍ）厚である、請求項４に記載のフォーム。
【請求項６】
前記表面層は、２つの側部上を白色でコーティングしたナイロン・タフタである、請求項１に記載のフォーム。
【請求項７】
前記リストバンドを患者の手首に固定する前記手段は、前記リストバンドの各々の前記第１および第２の端部の底面上に感圧接着剤を備える、請求項６に記載のフォーム。
【請求項８】
前記リストバンドを患者の手首に固定する前記手段は、前記第１の端部上の第１の穴を通って挿入されて、次いで前記リストバンドが患者の手首のまわりにくるまれた後、各リストバンドの前記第２の端部上の第２の穴を通るプラスチック・スナップ式のエンクロージャを有するのに適している、各リストバンドの前記第１および第２の端部の一連の穴を含む、請求項１に記載のフォーム。
【請求項９】
前記感圧接着剤は、前記表面層の前記第２の部分の全体上にも含まれる、請求項２に記載のフォーム。
【請求項１０】
４〜６ミル（約０．１〜０．１５ｍｍ）厚のナイロン・タフタで作られる印刷可能な患者のリストバンドであって、印刷された可変の患者データを受け入れるために上面および底面上にコーティングを有し、耐水性があり、手に柔らかくて、印刷された可変の患者データを失うことなく、数日間患者に取り付けられたままであってよく、前記リストバンドの第１および第２の端部ならびに前記第１および第２の端部間のリストバンド本体を有し、前記リストバンドの前記第１および第２の端部の底面上に含まれるが前記第１および第２の端部間の前記リストバンド本体上には含まれない感圧接着剤を有し、前記リストバンドの前記第１および第２の端部の各々は、前記リストバンドの残りの部分とは異なる色が印刷された前記リストバンドの各々の前記第１および第２の端部の各々の前記底面を有する前記リストバンドの各々の前記第１および第２の端部上に×のダイカットを含む不正が明白なしるしを備え、
前記リストバンドは、長尺状のリストバンド本体の両端において前記リストバンド本体の長手方向軸線の延長位置に前記第１および第２の端部が形成され、前記第１および第２の端部は、底面にのみ前記感圧接着剤を有し、前記リストバンドは、前記リストバンドが患者の手首のまわりをくるんだ状態において、前記第１の端部の底面の感圧接着剤が反対側の前記リストバンド本体の底面に付着するように折り畳まれると共に、前記第２の端部は、前記くるんだリストバンドの円周方向に関して前記第１の端部と同一方向に向いた姿勢で前記リストバンドの上面に付着される、印刷可能なリストバンド。
【請求項１１】
前記リストバンドが患者の手首に適用されるときに、その底面がくるんだ前記リストバンドの前記底面に付着するように折り畳まれるように構成される前記リストバンドの一端部は、その上面上に識別情報がしるされ、そして、前記リストバンドが患者の手首に適用されるときに、その底面がくるんだ前記リストバンドの前記上面に付着されるように構成される前記リストバンドの他端部は、その上面上に識別情報がしるされる、請求項１０に記載の印刷可能なリストバンド。
【請求項１２】
前記リストバンドが患者の手首に適用されるときに、その底面がくるんだ前記リストバンドの前記底面に付着するように折り畳まれるように構成される前記リストバンドの一端部は、その上面上に識別情報がしるされ、そして、前記リストバンドが患者の手首に適用されるときに、その底面がくるんだ前記リストバンドの前記上面に付着されるように構成される前記リストバンドの他端部は、その上面上に識別情報がしるされる、請求項７に記載の印刷可能なフォーム。
【発明の詳細な説明】
【技術分野】
【０００１】
本発明は、印刷可能なフォーム（記入用紙）に関し、特に、プリンタを通るシングルパスの情報について印刷されてよい複数の取り外し可能なラベルによって付随されてもよい１つ以上のリストバンドを有するフォームに関する。
【背景技術】
【０００２】
患者療養施設において、患者の名前または他の識別情報を含んでいるブレスレットまたはバンドを用いて患者を識別することは、一般的な方法である。患者療養施設の職員が患者の滞在中に患者を適切に識別することができるように、バンドは、通常、患者の手首のまわりに固定される。しかしながら、これが患者を識別する有効な方法であるとはいえ、多くの患者療養施設には、検査サンプル、薬の処方、医師の指図などに患者情報を相関させている課題があった。この種の単調な事項の処理における誤記は、間違った薬または処置を患者に分配することに結果としてなりうる。
【０００３】
さまざまな患者療養施設の形態に対して患者情報の相関を改善するためにいくつかの試みが実行された。例えばファリアによる特許文献１は、リストバンド、検査サンプルのコンテナ、および患者記録に添付するためのラベルを含み、そしてその全ては同一の患者情報を有する、包装済みの患者識別キットを教示する。ヴァイクセルバウムらによる特許文献２は、患者情報を用いて磁気的にコード化される一連のタグを分配するために患者に固定される識別ブレスレットが使用される患者識別システムを教示する。しかしながら、この方法は、タグ上の情報をデコードすることが可能な回路と共にタグリーダの使用を必要とする。したがって、この種の方法がさまざまな目的のための患者を識別する有効な手段を提供してもよいとはいえ、この種の方法は、実施するのが複雑かつ困難である。
【０００４】
特許文献３は、取り外し可能なラベルを有するフォーム、および、第１および第２の主要な表面を有し、そしてその１つの表面の少なくとも一部上に感圧接着剤を有する印刷可能な表面層から成るリストバンドを提供する。表面層は、第１および第２の隣接部分を含み、表面層の第１の部分は、第１および第２の端部および第１および第２の側部を有する取り外し可能なリストバンドを形成するダイカットである。表面層の第２の部分は、一連の取り外し可能なラベルを形成するダイカットである。第１層は、ポリエステルのようなポリマーから成ってよく、そして表面層の第２の部分は、紙から成ってよい。このフォームは、手に柔らかくなく、そして皮膚を傷つけることがありうる。
【０００５】
特許文献４は、印刷される画像を受けるための第１の紙ラベル部分を有する多層のウェブ・ダイカット、および、キャリアからの分離に応じて透明フィルム層が紙層を防湿して紙層を保護するために紙層にわたって折り畳んで完全にカプセル化してもよいように、紙層の幅のほぼ２倍の裏が接着性の透明フィルム層を備える識別バンド空欄を有する、マルチレイヤ、マルチウェブ、レーザ印刷可能なフォームを提供する。患者の手首または足首についてのその取付けを容易にするために、透明なフィルム層は、端部に一対の裏が接着性のタブを含む。小児入院に特に適しているフォームを提供するために、複数のリストバンドまたは識別バンド空欄は、同じシートに含まれる。代わりの実施形態では、フォームからのリストバンドの分離に応じてパネルが付着したままで窓を形成するためにそれが引き離されるように、パネルは、透明フィルム層へのダイカットである。リストバンドが組み立てられるにつれて、窓は、それが露出するままであるように印刷面の一部上に横たわる。このフォームは、その用途および使用のスタッフに訓練を要求して、患者の手首に形成して取り付けるためにいくらか時間がかかって、そして手に柔らかくなくて、皮膚を傷つけることがありえる。
【０００６】
特許文献５は、識別バンド空欄を有する他のマルチレイヤ、マルチウェブ、レーザー印刷可能でページサイズのフォームに提供する。フォームは、印刷される画像を受けるための第１の紙ラベル部分を有する多層のウェブ・ダイカット、および、キャリアからの分離に応じて透明フィルム層が紙層を防湿して紙層を保護するために紙層にわたって折り畳んで完全にカプセル化してもよいように、紙層の幅のほぼ２倍の裏が接着性の透明フィルム層を備える。患者の手首または足首についてのその取付けを容易にするために、透明なフィルム層は、端部に一対の裏が接着性のタブを含む。バンド空欄ウェブは、重なり合う接着されたジョイントを有する第２の多層ウェブに取り付けられる。第２の多層ウェブは、複数の裏が接着性のラベル・ダイカットを有する。
【０００７】
特許文献６も、識別バンド空欄を有するマルチレイヤ、マルチウェブ、レーザー印刷可能でページサイズのフォームに提供する。フォームは、印刷される画像を受けるための第１の紙ラベル部分を有する多層のウェブ・ダイカット、および、キャリアからの分離に応じて透明フィルム層が紙層を防湿して紙層を保護するために紙層にわたって折り畳んで完全にカプセル化してもよいように、紙層の幅のほぼ２倍の裏が接着性の透明フィルム層を備える。患者の手首または足首についてのその取付けを容易にするために、透明なフィルム層は、端部に一対の裏が接着性のタブを含む。バンド空欄ウェブは、重なり合う接着されたジョイントを有する第２の多層ウェブに取り付けられる。第２の多層ウェブは、複数の裏が接着性のラベル・ダイカットを有する。
【０００８】
したがって、識別情報を相関させると共に効率的に設けられることができて、そして容易に分配されることができて、さまざまな用途のために使用されてよくて、その使用および手首への適用においてスタッフの訓練が容易で、より時間がかからず、そして患者の手首に適用されるときに、十分に耐水性があり、手に柔らかくて、印刷された可変の患者データを失うことなく、皮膚を傷つけることなく、数日間患者に取り付けられたままであることができて、または療養施設の患者の滞在の間に容易に取り外されることができる添付の一連のラベルまたはタグと同様に、リストバンドを含む識別システム用の技術の必要は、まだある。
【先行技術文献】
【特許文献】
【０００９】
【特許文献１】米国特許第４，１２２，９４７号明細書
【特許文献２】米国特許第３，８４８，１１２号明細書
【特許文献３】米国特許第５，６５３，４７２号明細書
【特許文献４】米国特許第６，５１０，６３４号明細書
【特許文献５】米国特許第６，４３８，８８１号明細書
【特許文献６】米国特許第６，０６７，７３９号明細書
【発明の概要】
【課題を解決するための手段】
【００１０】
フォームの一実施形態は、印刷可能なナイロン・タフタの表面層および裏打ち層を備え、表面層は、第１および第２の端部を有する１つ以上の空欄の取り外し可能なリストバンドを形成するダイカットである、１つ以上の空欄の取り外し可能なリストバンドを有して提供される。表面層は、その底面の少なくとも一部上に含まれる感圧接着剤によって裏打ち層に接着され、感圧接着剤は、１つ以上のリストバンドの周辺まわりの表面層上に、および各々のリストバンドの第１および第２の端部の底面上に含まれる。各々のリストバンドの第１および第２の端部の各々は、不正が明白なしるし（ｉｎｄｉｃｉａ）を備える。フォームは、リストバンド上の患者固有の識別情報を提供するプリンタを通るシングルパスにおいて印刷されてもよい。リストバンドは、フォームから剥ぎ取られてよく、そしてリストバンドで患者の手首のまわりを単にくるんで、その底面がくるまれたリストバンドの底面に付着するようにリストバンドの端部を折り畳むことによって取り付けられる。リストバンドの他の端部は、くるまれたリストバンドの上面に付着される。フォームは、機械式インパクト、直接的サーマル、熱転写、インク・ジェット、およびレーザープリンタを含むさまざまなプリンタを用いて印刷されてもよい。
【００１１】
他の実施形態によれば、フォームは、一連の取り外し可能なラベルおよび１つ以上の空欄の取り外し可能なリストバンドを有して提供される。フォームは、印刷可能な表面層および裏打ち層を備える。印刷可能な表面層は、第１および第２の隣接する部分を有する。表面層の第１の部分は、第１および第２の端部を有する１つ以上の空欄の取り外し可能なリストバンドを形成するナイロン・タフタ材のダイカットである。表面層の第２の部分は、一連の取り外し可能なラベルを形成するダイカットである。裏打ち層は、上面の少なくとも一部上に剥離コーティングを有し、表面層は、その底面の少なくとも一部上に含まれる感圧接着剤によって裏打ち層に接着され、感圧接着剤は、１つ以上のリストバンドの周辺まわりの表面層上およびリストバンドの第１および第２の端部上に含まれる。各々の前記リストバンドの前記第１および第２の端部の各々は、不正が明白なしるし（ｉｎｄｉｃｉａ）を備える。表面層の上面は、可変のおよび非可変の両方の情報を用いてプリンタを通るシングルパスにおいてその上にしるしが印刷されることを許容する。
【００１２】
表面層の第１および第２の部分は、分離されて、異なる材料から構成されてもよい。表面層の第１の部分は、プリンタ上の印刷を容易にするために２つの側部上を白色でコーティングした１００％のナイロン・タフタから構成されてもよい。そして、表面層の第２の部分は、紙から構成されてもよい。
【００１３】
自動機器による印刷および処理を容易にするために、フォームは、連続ウェブから作り出されてもよい。フォームの連続ウェブは、脆弱なラインによって定義されてもよく、そして、スタックにジグザグに折り畳まれてもよいしまたはさまざまなサイズに切られてもよい。
【００１４】
実際には、フォームの複数の層は、組み立てられてもよく、次いで、表面層は、所望の可変のおよび非可変の情報を用いてプリンタを通るシングルパスにおいて印刷される。次いで、リストバンドは、裏打ち層からそれを剥がすことによって、そして患者の手首のまわりをバンドでくるむことによって、フォームから分離されてもよい。
【００１５】
次いで、リストバンドは、リストバンド上の感圧接着剤によって患者に固定される。フォーム上に残るラベルは、必要に応じて取り外されてよく、患者療養施設のフォーム、医療容器、患者検査サンプルなどに付着されてよい。
【００１６】
本発明の異なる実施形態の特徴および利点は、以下の詳細な説明、添付図面および添付の請求の範囲から明らかになるであろう。本発明の他の実施形態は、以下の説明から明らかである。
【図面の簡単な説明】
【００１７】
本発明は、例として、同じ部品が同じ番号によって示される添付図面を参照して目下記載されている。
【図１】図１は、本発明によるフォームの一実施形態の上面図である。
【図２】図２は、図１のフォームの背面図である。
【図３】図３は、フォームを形成している異なる層を示す図１のフォームの概略図の正面側斜視図である。
【図４】図４は、本発明によるフォームの他の実施形態の上面図である。
【図５】図５は、図４のフォームの背面図である。
【図６】図６は、本発明によるフォームの他の実施形態の上面図である。
【図７】図７は、図６のフォームの背面図である。
【図８】図８は、本発明によるフォームの他の実施形態の上面図である。
【図９】図９は、図８のフォームの背面図である。
【図１０】図１０は、本発明によるフォームの他の実施形態の上面図である。
【図１１】図１１は、図１０のフォームの背面図である。
【図１２】図１２は、本発明によるフォームの他の実施形態の上面図である。
【図１３】図１３は、図１２のフォームの背面図である。
【発明を実施するための形態】
【００１８】
図１〜図３は、全体に１で示されて、取り外し可能なラベル２および空欄の取り外し可能なリストバンド３を有するフォームの一実施形態を示す。フォーム１は、上面５および底面を有して、その底面６の少なくとも一部上に感圧接着剤を有する印刷可能な表面層４を備える。表面層４の上面５によって、しるし（ｉｎｄｉｃｉａ）は、可変のおよび非可変の情報を用いてプリンタを通るシングルパスにおいてその上に印刷されることができる。この実施形態において、表面層４は、第１および第２の隣接する部分７、８を含む。表面層４の第１の部分７は、第１および第２の端部９、１０、ならびに第１および第２の側部１１、１２を有する取り外し可能なリストバンド３を形成するダイカットである。表面層４の第２の部分８は、一連の取り外し可能なラベル２を形成するダイカットである。他の実施形態において、ラベルが必要とされない場合、１つ以上の取り外し可能なリストバンドを形成するために表面層の１つの部分だけにダイカットを設けることは、可能である。実施形態において、表面層は、約２〜１６ミル（１ミル＝１／１０００インチ）間の厚みである。本実施形態は、４〜６ミル層を用いる。８ミルおよびそれを超える表面層を用いるときに、表面層の化学処理を用いて柔軟性の損失を克服することは、必要かもしれない。織物のための化学柔軟剤は、公知である。
【００１９】
フォーム１は、上面および底面１４、１５を有する裏打ち層１３も含む。裏打ち層１３は、上面１４の少なくとも一部に剥離コーティングを含み、そして表面層４の底面６上の感圧接着剤に粘着される。裏打ち層１３は、表面層４と同一の広がりをもつ。
【００２０】
表面層４の第１および第２の部分７、８は、切り離されていて、異なる材料から構成されてもよい。表面層４の第１の部分７は、２つの側部上を白色でコーティングしたナイロン・タフタから構成されてもよい。そして、表面層４の第２の部分８は、紙から構成されてもよい。
【００２１】
この図示された実施形態において、表面層４は、その底面の少なくとも一部上に含まれる感圧接着剤によって裏打ち層１３に粘着される。一実施形態において、感圧接着剤は、リストバンド３の周辺まわりの表面層４の第１の部分７上に、およびリストバンド３の第１および第２の端部９、１０上に含まれる。感圧接着剤は、連続したラベル２を含む領域において表面層４の第２の部分８上にも含まれる。
【００２２】
この図示された実施形態では、２〜１６ミル間の他の厚みが用いられてもよいけれどもこの場合は４〜６ミルのナイロン・タフタから表面層の第１の部分７を作ることによって、リストバンド３は、十分に耐水性があり、手に柔らかく、印刷された可変の患者データを失うことなく数日間患者に取り付けられたままでありえて、皮膚を傷つけることを起こさず、または、療養施設における患者の滞在中に容易に取り外されることができる。さらに、ナイロン・タフタ上のコーティングは、それが印刷されたしるし（ｉｎｄｉｃｉａ）を目下受け入れることができて、保持することができるようなものである。
【００２３】
実施形態のフォーム１の層４、１３は、組み立てられる。次いで、表面層４は、所望の可変のおよび非可変の情報を用いてプリンタを通るシングルパスにおいて印刷される。次いで、リストバンド３は、それを裏打ち層１３から剥がすことによって、そしてリストバンド３で患者の手首のまわりをくるむことによって、フォーム１から分離されてもよい。次いで、リストバンド３は、リストバンド３の端部９、１０上の感圧接着剤によって患者に留められる。フォーム１上に残るラベル２は、必要に応じて取り外されてもよく、患者療養施設のフォーム、医療容器、患者の検査サンプルなどに付着されてもよい。
【００２４】
１人の患者のしるし（ｉｎｄｉｃｉａ）を有する印刷されたリストバンド３を別の患者のしるしを有する印刷されたラベル２と混同するのを防止するために、または、１人の患者からリストバンドを取り外してそれを異なるしるしを有する異なる患者に適用するのを防止するために、リストバンド３は、リストバンド３が表面層４から取り除かれたことを開示するために不正が明白な手段１６を備えてもよい。図１〜図３に示される実施形態において、不正が明白な手段１６は、リストバンドの残りの部分とは異なる色が印刷された端部９、１０の各々の底面を有するリストバンド３の端部９、１０上の×のダイカットを含む。
【００２５】
リストバンドおよび任意のラベル上に情報を印刷した後、図１〜図３に示されるリストバンド３を患者の手首上に置くために、リストバンド３の端部９、１０間の部分は、裏打ち層に粘着されず、そのため裏打ち層からリストバンド３を持ち上げるのに用いてもよい。端部９は、手首のまわりにきつく、しかし気持ちよくくるまれる。そして、端部９の底面は、リストバンドの底面に感圧接着剤を用いて付着される。端部１０の底面上の接着剤がバンドの上面に向くように、リストバンドは、次いで、それ自体を通じてくるみ返される。次いで、端部１０は、リストバンド３に付着される。多くの従来技術のリストバンドにおいて必要とされるように防湿のためおよびリストバンドを保護するために印刷されたしるし（ｉｎｄｉｃｉａ）全体を裏が接着性の透明なフィルム層で折り畳んで完全にカプセル化することなしに、リストバンドがフォーム１から単に分離されて、次いで患者の手首のまわりをくるまれるので、スタッフの訓練の必要はより少なく、患者に適用することは容易であり、そして療養施設に滞在中に患者によく取り付けられたままである。
【００２６】
リストバンドは、それが柔らかくて、皮膚の傷つけを最少にするので、さまざまな用途（短期治療病院、長期療養施設、クリニック、代わりの療養施設、リハビリ施設など）において使用されることができる。フォームは、チャートバインダに簡単に挿入するための穴１７で予めパンチされてもよい。
【００２７】
図４、図５は、全体に２０で示されて、例えば救急部門日帰り手術部門における使用のための１８〜２０のラベルの必要がない登録領域などでの使用のための２列の取り外し可能ラベル２２および空欄のリストバンド２３を有するフォームの他の実施形態を示す。フォーム２０は、上面２５および底面を有して、その底面の少なくとも一部上に感圧接着剤を有する印刷可能な表面層２４を備える。表面層２４の上面２５によって、しるし（ｉｎｄｉｃｉａ）は、可変のおよび非可変の情報を用いてプリンタを通るシングルパスにおいてその上に印刷されることができる。表面層２４は、第１および第２の隣接する部分２７、２８を含む。表面層２４の第１の部分２７は、第１および第２の端部２９、３０、ならびに第１および第２の側部３１、３２を有する取り外し可能なリストバンド２３を形成するダイカットである。表面層２４の第２の部分２８は、一連の取り外し可能なラベル２２を形成するダイカットである。
【００２８】
フォーム２０は、上面および底面３４、３５を有する裏打ち層１３も含む。裏打ち層３３は、上面３４の少なくとも一部に剥離コーティングを含み、そして表面層２４の底面上の感圧接着剤に粘着される。裏打ち層３３は、表面層２４と同一の広がりをもつ。
【００２９】
表面層２４の第１および第２の部分２７、２８は、切り離されていて、異なる材料から構成されてもよい。表面層２４の第１の部分２７は、２つの側部上を白色でコーティングしたナイロン・タフタから構成されてもよい。そして、表面層２４の第２の部分２８は、紙から構成されてもよい。
【００３０】
この図示された実施形態において、表面層２４は、その底面の少なくとも一部上に含まれる感圧接着剤によって裏打ち層３３に粘着される。一実施形態において、感圧接着剤は、リストバンド２３の周辺まわりの表面層４の第１の部分２７上に、およびリストバンド２３の第１および第２の端部２９、３０上に含まれる。感圧接着剤は、連続したラベル２２を含む領域において表面層２４の第２の部分２８上にも含まれる。リストバンド２３は、図１〜図３の実施形態のために上記したのと同様に、手首に取り付けられる。
【００３１】
図６、図７は、全体に４０で示されて、取り外し可能なラベル４２および空欄の取り外し可能なリストバンド４３を有するフォームの他の実施形態を示す。フォーム４０は、上面４５および底面を有して、その底面４６の少なくとも一部上に感圧接着剤を有する印刷可能な表面層４４を備える。表面層４４の上面４５によって、しるし（ｉｎｄｉｃｉａ）は、可変のおよび非可変の情報を用いてプリンタを通るシングルパスにおいてその上に印刷されることができる。表面層４４は、第１および第２の隣接する部分４７、４８を含む。表面層４４の第１の部分４７は、第１および第２の端部４９、５０、ならびに第１および第２の側部５１、５２を有する取り外し可能なリストバンド４３を形成するダイカットである。表面層４４の第２の部分４８は、一連の取り外し可能なラベル２を形成するダイカットである。
【００３２】
フォーム４０は、上面および底面５４、５５を有する裏打ち層５３も含む。裏打ち層５３は、上面５４の少なくとも一部に剥離コーティングを含み、そして表面層４４の底面上の感圧接着剤に粘着される。裏打ち層５３は、表面層４４と同一の広がりをもつ。
【００３３】
表面層４４の第１および第２の部分４７、４８は、切り離されていて、異なる材料から構成されてもよい。表面層４４の第１の部分４７は、２つの側部上を白色でコーティングしたナイロン・タフタから構成される。そして、表面層４４の第２の部分４８は、紙から構成されてもよい。
【００３４】
この図示された実施形態において、表面層４４は、その底面の少なくとも一部上に含まれる感圧接着剤によって裏打ち層５３に粘着される。この実施形態において、感圧接着剤は、リストバンド４３の周辺まわりの表面層４４の第１の部分４７上に、およびリストバンド４３の第１および第２の端部４９、５０上に含まれる。このリストバンド４３を患者の手首に固定するために、一連の穴５６、５７は、リストバンド４３の端部４９、５０に設けられる。穴５６、５７は、リストバンド４３の第１の端部４９上の穴５６を通って挿入されて、次いでリストバンドが患者の手首のまわりにくるまれた後、リストバンド４３の第２の端部５０上の穴５７のうちの１つを通って、次いで患者の手首上にリストバンドを係止するために閉じられる、プラスチック・スナップ式のエンクロージャを有するのに適している。この種の取付けは、リストバンドの偶然の取り除きを防止するためにより大きな程度のセキュリティを提供する。感圧接着剤は、連続したラベル４２を含む領域における表面層４４の第２の部分４８上にも含まれる。
【００３５】
図８、図９は、全体に６０で示されて、取り外し可能なラベル６２および、標準長さのリストバンドがまわりを取り囲むにはあまりに大きい直径の、それ故大きいバンドまたはより長いリストバンドが利用される手首を有する肥満のまたは筋肉の非常に多い人々にとっての使用に適した大きいリストバンド６３を有するフォームの他の実施形態を示す。フォーム６０は、上面６５および底面を有して、その底面の少なくとも一部上に感圧接着剤を有する印刷可能な表面層６４を備える。表面層６４の上面６５によって、しるし（ｉｎｄｉｃｉａ）は、可変のおよび非可変の情報を用いてプリンタを通るシングルパスにおいてその上に印刷されることができる。表面層６４は、第１および第２の隣接する部分６７、６８を含む。表面層６４の第１の部分６７は、第１および第２の端部６９、７０、ならびに第１および第２の側部７１、７２を有する取り外し可能なリストバンド６３を形成するダイカットである。表面層６４の第２の部分６８は、一連の取り外し可能なラベル６２を形成するダイカットである。
【００３６】
フォーム６０は、上面および底面７４、７５を有する裏打ち層７３も含む。裏打ち層７３は、上面７４の少なくとも一部に剥離コーティングを含み、そして表面層６４の底面上の感圧接着剤に粘着される。裏打ち層７３は、表面層６４と同一の広がりをもつ。
【００３７】
表面層６４の第１および第２の部分６７、６８は、切り離されていて、異なる材料から構成されてもよい。表面層６４の第１の部分６７は、２つの側部上を白色でコーティングしたナイロン・タフタから構成される。そして、表面層６４の第２の部分６８は、紙から構成されてもよい。
【００３８】
この図示された実施形態において、表面層６４は、その底面６６の少なくとも一部上に含まれる感圧接着剤によって裏打ち層７３に粘着される。一実施形態において、感圧接着剤は、リストバンド６３の周辺まわりの表面層６４の第１の部分６７上に、およびリストバンド６３の第１および第２の端部６９、７０上に含まれる。感圧接着剤は、連続したラベル６２を含む領域において表面層６４の第２の部分６８上にも含まれる。
【００３９】
図１０、図１１は、全体に８０で示されて、取り外し可能なラベル８２および、両親および乳児または子のための一連のリストバンド８３を有する、産科病棟または小児病棟での使用に適しているフォームの他の実施形態を示す。フォーム８０は、上面８５および底面を有して、その底面の少なくとも一部上に感圧接着剤を有する印刷可能な表面層８４を備える。表面層８４の上面８５によって、しるし（ｉｎｄｉｃｉａ）は、可変のおよび非可変の情報を用いてプリンタを通るシングルパスにおいてその上に印刷されることができる。表面層８４は、第１および第２の隣接する部分８７、８８を含む。表面層８４の第１の部分８７は、各々第１および第２の端部８９、９０、ならびに第１および第２の側部９１、９２を有する異なるサイズの連続した取り外し可能なリストバンド８３を形成するダイカットである。表面層８４の第２の部分８８は、一連の取り外し可能なラベル８２を形成するダイカットである。
【００４０】
フォーム８０は、上面および底面９４、９５を有する裏打ち層９３も含む。裏打ち層９３は、上面９４の少なくとも一部に剥離コーティングを含み、そして表面層８４の底面上の感圧接着剤に粘着される。裏打ち層９３は、表面層８４と同一の広がりをもつ。
【００４１】
表面層８４の第１および第２の部分８７、８８は、切り離されていて、異なる材料から構成されてもよい。表面層８４の第１の部分８７は、２つの側部上を白色でコーティングしたナイロン・タフタから構成される。そして、表面層８４の第２の部分８８は、紙から構成されてもよい。
【００４２】
この図示された実施形態において、表面層８４は、その底面８６の少なくとも一部上に含まれる感圧接着剤によって裏打ち層９３に粘着される。この実施形態において、感圧接着剤は、各々のリストバンド８３の周辺まわりの表面層８４の第１の部分８７上に、およびリストバンド８３の第１および第２の端部８９、９０上に含まれる。あるいは、図６、図７に示されるスナップ式のエンクロージャは、利用されることができる。感圧接着剤は、連続したラベル８２を含む領域において表面層８４の第２の部分８８上にも含まれる。
【００４３】
図１２、図１３は、全体に１００で示されて、取り外し可能なラベル１０２および、例えば図１〜図３のリストバンドが適切である患者よりも小さい患者のためのサイズのリストバンド１０３を有するフォームの他の実施形態を示す。フォーム１００は、上面１０５および大きい底面を有して、その底面の少なくとも一部上に感圧接着剤を有する印刷可能な表面層１０４を備える。表面層１０４の上面１０５によって、しるし（ｉｎｄｉｃｉａ）は、可変のおよび非可変の情報を用いてプリンタを通るシングルパスにおいてその上に印刷されることができる。表面層１０４は、第１および第２の隣接する部分１０７、１０８を含む。表面層１０４の第１の部分１０７は、第１および第２の端部１０９、１１０、ならびに第１および第２の側部１１１、１１２を有する取り外し可能なリストバンド１０３を形成するダイカットである。表面層１０４の第２の部分１０８は、一連の取り外し可能なラベル１０２を形成するダイカットである。
【００４４】
フォーム１００は、上面および底面１１４、１１５を有する裏打ち層１１３も含む。裏打ち層１１３は、上面１１４の少なくとも一部に剥離コーティングを含み、そして表面層１０４の底面上の感圧接着剤に粘着される。裏打ち層１１３は、表面層１０４と同一の広がりをもつ。
【００４５】
表面層１０４の第１および第２の部分１０７、１０８は、切り離されていて、異なる材料から構成されてもよい。表面層１０４の第１の部分１０７は、２つの側部上を白色でコーティングしたナイロン・タフタから構成される。そして、表面層１０４の第２の部分１０８は、紙から構成されてもよい。
【００４６】
この図示された実施形態において、表面層１０４は、その底面の少なくとも一部上に含まれる感圧接着剤によって裏打ち層１１３に粘着される。一実施形態において、感圧接着剤は、リストバンド１０３の周辺まわりの表面層１０４の第１の部分１０７上に、およびリストバンド１０３の第１および第２の端部１０９、１１０上に含まれる。感圧接着剤は、連続したラベル２を含む領域において表面層１０４の第２の部分１０８上にも含まれる。
【００４７】
この開示において参照されるさまざまな例および図は、読者の利益のために提供されて、そして請求項において明示的に参照されるかまたは必要とされる場合を除き本発明の実施または実践を制限することを目的としない。フォームのサイズおよび形状、ラベルの数、リストバンドサイズおよび数、そしてラベルおよびリストバンドの配置は、変化することができる。この発明のデバイスおよび方法は、請求項で具体化される本発明の精神を逸脱しない範囲でルーチンの最適化によって効果的に洗練されることができて、または修正されることができる。
【図１】
0006363591.tif 000002
【図２】
0006363591.tif 000003
【図３】
0006363591.tif 000004
【図４】
0006363591.tif 000005
【図５】
0006363591.tif 000006
【図６】
0006363591.tif 000007
【図７】
0006363591.tif 000008
【図８】
0006363591.tif 000009
【図９】
0006363591.tif 000010
【図１０】
0006363591.tif 000011
【図１１】
0006363591.tif 000012
【図１２】
0006363591.tif 000013
【図１３】
0006363591.tif 000014